(57)【要約】【課題】  容易に弁座部材を修理したり交換したりできるようにする。【解決手段】  入口通路９と出口通路１０を形成した接続部８を一側面に有し入口通路９に連通する弁室１１と出口通路１０に連通する連通路７とを内部に有するトラップケーシング５，６と、入口通路９に連通する入口２３及び出口通路１０に連通する出口２４を有しトラップケーシング５，６に回動自在に着脱される配管ジョイント部材２と、接続部８と一体にあるいは別体に形成されトラップケーシング５，６と配管ジョイント部材２を連結する固定部材３と、接続部８とは反対側の側面から取り付けられ弁室１１と連通路７とを連通する排出通路１４を有する弁座部材１３と、弁室１１に配置され排出通路１４を開閉する弁部材としてのフロート１５とを具備する。【選択図】      図１
2009041720.tif 000002
【特許請求の範囲】
【請求項１】
入口通路と出口通路を形成した接続部を一側面に有し入口通路に連通する弁室と出口通路に連通する連通路とを内部に有するトラップケーシングと、入口通路に連通する入口及び出口通路に連通する出口を有しトラップケーシングに回動自在に着脱される配管ジョイント部材と、接続部と一体にあるいは別体に形成されトラップケーシングと配管ジョイント部材を連結する固定部材と、接続部とは反対側の側面から取り付けられ弁室と連通路とを連通する排出通路を有する弁座部材と、弁室に配置され排出通路を開閉する弁部材と、を具備することを特徴とする配管ジョイント付スチームトラップ。
【発明の詳細な説明】
【技術分野】
【０００１】
本発明は、蒸気輸送管や蒸気使用機器等の蒸気配管系に発生する復水を自動的に排出するスチームトラップに関し、特に種々の配管取り付け状態に応じて取り付けることのできる配管ジョイント付スチームトラップに関する。
【背景技術】
【０００２】
蒸気配管系においては復水の発生は不可避であり、適宜発生した復水を系外に排出する必要がある。この復水を自動的に排出する装置がスチームトラップと呼ばれる特殊なバルブである。このスチームトラップは、蒸気配管や蒸気使用装置の下部末端に取り付けられる場合が多く、取り付けスペースや取り付け方向が、その他の配管や装置により限定されたものとなってしまうことが多かった。そこで取り付けスペースや方向が限定されたものになっていたとしても、比較的広範囲の対象に取り付けることができるものとして、配管ジョイント付スチームトラップが用いられている。
【０００３】
従来の配管ジョイント付スチームトラップは、入口通路と出口通路を形成した接続部を一側面に有し入口通路に連通する弁室と出口通路に連通する連通路とを内部に有するトラップケーシングと、入口通路に連通する入口及び出口通路に連通する出口を有しトラップケーシングに回動自在に着脱される配管ジョイント部材と、接続部と一体にあるいは別体に形成されトラップケーシングと配管ジョイント部材を連結する固定部材と、接続部が設けられた一側面から取り付けられ弁室と連通路とを連通する排出通路を有する弁座部材と、弁室に配置され排出通路を開閉する弁部材と、を具備するものである。
【０００４】
上記従来の配管ジョイント付スチームトラップは、弁室と連通路とを連通する排出通路を有する弁座部材が、接続部が設けられた一側面から取り付けられたものであるので、弁座部材を取り付ける外方に配管ジョイント部材や配管ジョイント部材に連結された配管部材が位置する。そのため、弁座部材を修理したり交換したりすることが困難であるという問題点があった。
【特許文献１】特開２００７−１０７６４２
【発明の開示】
【発明が解決しようとする課題】
【０００５】
解決しようとする課題は、容易に弁座部材を修理したり交換したりすることのできる配管ジョイント付スチームトラップを提供することである。
【課題を解決するための手段】
【０００６】
本発明は、入口通路と出口通路を形成した接続部を一側面に有し入口通路に連通する弁室と出口通路に連通する連通路とを内部に有するトラップケーシングと、入口通路に連通する入口及び出口通路に連通する出口を有しトラップケーシングに回動自在に着脱される配管ジョイント部材と、接続部と一体にあるいは別体に形成されトラップケーシングと配管ジョイント部材を連結する固定部材と、接続部とは反対側の側面から取り付けられ弁室と連通路とを連通する排出通路を有する弁座部材と、弁室に配置され排出通路を開閉する弁部材と、を具備することを特徴とする配管ジョイント付スチームトラップにある。
【発明の効果】
【０００７】
本発明は、弁室と連通路とを連通する排出通路を有する弁座部材を接続部とは反対側の側面から取り付けることにより、容易に弁座部材を修理したり交換したりすることができるという優れた効果を生じる。
【発明を実施するための最良の形態】
【０００８】
本発明の配管ジョイント付スチームトラップは、弁室と連通路とを連通する排出通路を有する弁座部材が接続部とは反対側の側面から取り付けられたものである。そのため、弁座部材を取り付ける外方に配管ジョイント部材や配管ジョイント部材に連結された配管部材が位置しない。そのため、容易に弁座部材を修理したり交換したりすることが可能となる。
【実施例１】
【０００９】
上記の技術的手段の具体例を示す実施例を説明する（図１参照）。配管ジョイント付スチームトラップはスチームトラップ１と配管ジョイント部材２とを固定部材３を介して図示しないボルトで固着して構成する。スチームトラップ１のトラップケーシングは、本体５とこの本体５に図示しないボルトで締結した蓋体６とで構成する。本体５は一側面に接続部８とフランジ状の固定部材３を一体に形成する。本体５と蓋体６は鋳造により形成する。接続部８は本体５と別体に形成することもできる。また固定部材３は接続部８と別体に形成することもできる。接続部８は中心部に入口通路９を有し、入口通路９の上方と下方に出口通路１０を有する。出口通路１０は少なくとも一つ設けることができる。入口通路９は本体５と蓋体６の内部に形成される弁室１１に連通する。本体５に出口通路１０に連通する連通路７を形成し、本体５と蓋体６に出口通路１０に連通する第２連通路１２を形成する。
【００１０】
本体５の接続部８とは反対側の側面の下部に斜め下方に開けた開口を設け、開口から本体５に弁座部材１３をねじ結合し、開口にプラグ４をネジ結合して開口を塞ぐ。弁座部材１３は弁室１１と連通路７とを連通する排出通路１４を有する。弁室１１に弁部材としての中空球形のフロート１５を自由状態で収容する。フロート１５は弁室１１の液面にしたがって浮上降下し、外表面が弁座部材１３に直接離着座して排出通路１４を開閉する。フロート１５が排出通路１４を閉じた位置でフロート１５を保持するフロート座部材１６を本体５の底部に形成する。弁室１１の上部に円筒状で異物捕捉用の濾過孔を多数開けたスクリーン１７を固定し、スクリーン１７内に浮上したフロート１５を保持するフロートカバー１８を固定する。フロートカバー１８は連通孔１９を有する。蓋体６に排気弁座２０をねじ結合する。排気弁座２０は一端が弁室１１に開口し他端が第２連通路１２に開口した排気通路２１を有する。排気通路２１を開閉する温度応動部材としての湾曲バイメタル２２を設ける。
【００１１】
配管ジョイント部材２は、同軸上に上部に入口２３と下部に出口２４を有し、その中央部に入口通路９に連通する入口連結路２５を有し、入口連結路２５の下方に出口通路１０に連通する出口連結路２６を有する。入口２３と入口連結路２５の間に円筒状で異物捕捉用の濾過孔を多数開けたスクリーン２７を配置する。スクリーン２７の円筒内面は入口２３に連通し、円筒外面は入口連結路２５に連通する。出口通路１０と出口連結路２６は、出口通路１０を囲む環状溝２８と出口連結路２６を囲む環状溝２９を介して連通する。環状溝は出口通路１０と出口連結路２６の少なくとも一方側に設けることができる。入口２３に配管部材接続用の入口フランジ３０を取り付け、出口２４に配管部材接続用の出口フランジ３１を取り付ける。
【００１２】
入口２３は蒸気使用機器等の復水発生個所に接続する。入口２３から流入してくる流体は、スクリーン２７の濾過孔を通過することにより流体中の異物が捕捉され、入口連結路２５から入口通路９を経て弁室１１に流入し、スクリーン１７の濾過孔を通過することにより流体中の異物が捕捉される。蒸気輸送初めのように弁室１１の温度が低温であると、湾曲バイメタル２２は下に凸状に変形して排気弁座２０から離座して排気通路２１を開き、低温の空気や復水を排気通路２１から第２連通路１２、出口通路１０、環状溝２８，２９、出口連結路２６を通して出口２４に排出する。低温の空気や復水の排出により弁室１１内の温度が高くなってくると、湾曲バイメタル２０は温度上昇にしたがって徐々に上に凸状に変形して排気弁座２０に近付き、所定の高温で排気通路２１を閉じ、蒸気の漏出を防止する。また、弁室１１の液面の上昇によってフロート１５が浮上し弁座部材１３から離座して排出通路１４を開き、弁室１１の復水を排出通路１４から連通路７、出口通路１０、環状溝２８，２９、出口連結路２６を通して出口２４に排出する。復水の排出によって弁室１１の液面が下がると、フロート１５が降下してフロート座部材１６に乗った位置で排出通路１４を閉じ、蒸気の漏出を防止する。
【図面の簡単な説明】
【００１３】
【図１】本発明の配管ジョイント付スチームトラップの断面図。
【符号の説明】
【００１４】
１  スチームトラップ
２  配管ジョイント部材
３  固定部材
５  本体
６  蓋体
７  連通路
８  接続部
９  入口通路
１０  出口通路
１１  弁室
１３  弁座部材
１４  排出通路
１５  フロート
２３  入口
２４  出口
【図１】
2009041720.tif 000003